【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
複数の深度コーディングモードのうちのいずれかを使用してコーディングされた前記ビデオデータのための深度データの残差情報を指示するシンタックス要素の統合されたセットを復号することと、ここで、前記シンタックス要素の統合されたセットは、前記複数の深度コーディングモードのすべてに対して使用されるシンタックス要素の同じセットを備え、前記深度コーディングモードの各々は、対応するテクスチャデータに対する深度データを含む１つまたは複数の深度マップのコーディングのために使用されることができ、前記複数の深度コーディングモードは、深度モデリングモード（ＤＭＭ）、簡略深度コーディング（ＳＤＣ）モード、またはチェーンコーディングモード（ＣＣＭ）のうちの少なくとも２つを含む複数の深度イントラコーディングモードを備える、
前記ビデオデータのための前記複数の深度コーディングモードのうちの１つを指示する１つまたは複数のシンタックス要素を復号することと、
前記深度データの前記残差情報と近傍参照サンプルとに基づき前記指示された深度コーディングモードを使用して前記ビデオデータのための前記深度データを復号することと、
を備える方法。
【請求項２】
前記シンタックス要素の統合されたセットは、前記深度コーディングモードのうちのいずれかについて前記深度データの各コーディング区分に対する少なくとも１つの残差値を指示する請求項１に記載の方法。
【請求項３】
前記シンタックス要素の統合されたセットは、前記深度データの残差値が前記深度コーディングモードのうちのいずれかについて存在するかどうかを指示するシンタックス要素を含む請求項１に記載の方法。
【請求項４】
前記深度データに対するコーディング区分の数に基づき前記深度データの残差値が前記深度コーディングモードのうちのいずれかについて存在するかどうかを指示する前記シンタックス要素に対するコンテキストモデルを選択することをさらに備える請求項３に記載の方法。
【請求項５】
前記シンタックス要素の統合されたセットは、前記深度コーディングモードのうちのいずれかについて前記深度データの残差値の絶対値と符号とを指示するシンタックス要素を含む請求項１に記載の方法。
【請求項６】
単一の２値化方法を使用して前記深度コーディングモードのうちのいずれかについての前記深度データの前記残差値の前記絶対値と前記符号とを指示する前記シンタックス要素を逆２値化することをさらに備える請求項５に記載の方法。
【請求項７】
単一のコンテキストモデル選択方法を使用して前記深度コーディングモードのうちのいずれかに適用されるコンテキストモデルの同じセットから前記深度コーディングモードのうちのいずれかに対する前記シンタックス要素の統合されたセットに対するコンテキストモデルを選択することをさらに備える請求項１に記載の方法。
【請求項８】
前記深度データを復号することは、前記残差情報と前記近傍参照サンプルとに基づき、前記近傍参照サンプルをフィルタリングすることなく、前記指示された深度コーディングモードに従って前記ビデオデータの深度値を再構築することを備える請求項１に記載の方法。
【請求項９】
前記指示されている深度コーディングモードは、前記複数の深度イントラコーディングモードの前記深度イントラコーディングモードのうちの１つであり、前記近傍参照サンプルの前記フィルタリングは、前記ＤＭＭ、前記ＣＣＭ、前記ＳＤＣモードのサブモードＳＤＣＭ＿ＤＭＭ＿１、または前記ＳＤＣモードのサブモードＳＤＣＭ＿ＤＣのうちの少なくともに対してディセーブルにされる請求項８に記載の方法。
【請求項１０】
前記複数の深度コーディングモードは、高効率ビデオコーディング（ＨＥＶＣ）イントラコーディングモードと異なる複数の深度イントラコーディングモードをさらに備え、前記指示された深度コーディングモードは、前記ＨＥＶＣイントラコーディングモードと異なる前記複数の深度イントラコーディングモードのうちの１つであり、前記深度コーディングモードのうちの前記１つを指示する前記１つまたは複数のシンタックス要素を復号することは、
前記ＨＥＶＣイントラコーディングモードと異なる前記複数の深度イントラコーディングモードのうちのいずれかが前記ビデオデータに対してイネーブルにされているかどうかを指示するシンタックス要素を復号することと、
前記ＨＥＶＣイントラコーディングモードと異なる前記深度イントラコーディングモードのうちのいずれかがイネーブルにされていることを指示する前記シンタックス要素を復号した後に、前記１つまたは複数のシンタックス要素を含む深度モデリングテーブルを復号することと、ここで、前記深度モデリングテーブルは、前記ＨＥＶＣイントラコーディングモードのためのシンタックス要素から分離している前記深度イントラコーディングモードのためのシンタックス要素を含む、
前記深度モデリングテーブル内の前記１つまたは複数のシンタックス要素に基づき前記ＨＥＶＣイントラコーディングモードと異なる前記深度イントラコーディングモードのうちの前記１つを選択することと、
を備える請求項１に記載の方法。
【請求項１１】
ビデオデータを記憶するように構成されたメモリと、
１つまたは複数のプロセッサと、
を備え、前記１つまたは複数のプロセッサは、
複数の深度コーディングモードのうちのいずれかを使用してコーディングされた前記ビデオデータのための深度データの残差情報を指示するシンタックス要素の統合されたセットを復号し、ここで、前記シンタックス要素の統合されたセットは、前記複数の深度コーディングモードのすべてに対して使用されるシンタックス要素の同じセットを備え、前記深度コーディングモードの各々は、対応するテクスチャデータに対する深度データを含む１つまたは複数の深度マップのコーディングのために使用されることができ、前記複数の深度コーディングモードは、深度モデリングモード（ＤＭＭ）、簡略深度コーディング（ＳＤＣ）モード、またはチェーンコーディングモード（ＣＣＭ）のうちの少なくとも２つを含む複数の深度イントラコーディングモードを備え、
前記ビデオデータのための前記複数の深度コーディングモードのうちの１つを指示する１つまたは複数のシンタックス要素を復号し、
前記深度データの前記残差情報と近傍参照サンプルとに基づき前記指示された深度コーディングモードを使用して前記ビデオデータのための前記深度データを復号するように構成された、ビデオ復号デバイス。
【請求項１２】
前記シンタックス要素の統合されたセットは、前記深度コーディングモードのうちのいずれかについて前記深度データの各コーディング区分に対する少なくとも１つの残差値を指示する請求項１１に記載のビデオ復号デバイス。
【請求項１３】
前記シンタックス要素の統合されたセットは、前記深度データの残差値が前記深度コーディングモードのうちのいずれかについて存在するかどうかを指示するシンタックス要素を含む請求項１１に記載のビデオ復号デバイス。
【請求項１４】
前記１つまたは複数のプロセッサは、前記深度データに対するコーディング区分の数に基づき前記深度データの残差値が前記深度コーディングモードのうちのいずれかについて存在するかどうかを指示する前記シンタックス要素に対するコンテキストモデルを選択するように構成される請求項１３に記載のビデオ復号デバイス。
【請求項１５】
前記シンタックス要素の統合されたセットは、前記深度コーディングモードのうちのいずれかについて前記深度データの残差値の絶対値と符号とを指示するシンタックス要素を含む請求項１１に記載のビデオ復号デバイス。
【請求項１６】
前記１つまたは複数のプロセッサは、単一の２値化方法を使用して前記深度コーディングモードのうちのいずれかについての前記深度データの前記残差値の前記絶対値と前記符号とを指示する前記シンタックス要素を逆２値化するように構成される請求項１５に記載のビデオ復号デバイス。
【請求項１７】
前記１つまたは複数のプロセッサは、単一のコンテキストモデル選択方法を使用して前記深度コーディングモードのうちのいずれかに適用されるコンテキストモデルの同じセットから前記深度コーディングモードのうちのいずれかに対する前記シンタックス要素の統合されたセットに対するコンテキストモデルを選択するように構成される請求項１１に記載のビデオ復号デバイス。
【請求項１８】
前記１つまたは複数のプロセッサは、前記残差情報と前記近傍参照サンプルとに基づき、前記近傍参照サンプルをフィルタリングすることなく、前記指示された深度コーディングモードに従って前記ビデオデータの深度値を再構築するように構成される請求項１１に記載のビデオ復号デバイス。
【請求項１９】
前記指示されている深度コーディングモードは、前記複数の深度イントラコーディングモードの前記深度イントラコーディングモードのうちの１つであり、前記近傍参照サンプルの前記フィルタリングは、前記ＤＭＭ、前記ＣＣＭ、前記ＳＤＣモードのサブモードＳＤＣＭ＿ＤＭＭ＿１、または前記ＳＤＣモードのサブモードＳＤＣＭ＿ＤＣのうちの少なくとも１つに対してディセーブルにされる請求項１８に記載のビデオ復号デバイス。
【請求項２０】
前記複数の深度コーディングモードは、高効率ビデオコーディング（ＨＥＶＣ）イントラコーディングモードと異なる複数の深度イントラコーディングモードをさらに備え、前記指示されている深度コーディングモードは、前記ＨＥＶＣイントラコーディングモードと異なる前記複数の深度イントラコーディングモードのうちの１つであり、前記深度モードのうちの前記１つを指示する前記１つまたは複数のシンタックス要素を復号するために、前記１つまたは複数のプロセッサは、
前記ＨＥＶＣイントラコーディングモードと異なる前記複数の深度イントラコーディングモードのうちのいずれかが前記ビデオデータに対してイネーブルにされているかどうかを指示するシンタックス要素を復号し、
前記ＨＥＶＣイントラコーディングモードと異なる前記深度イントラコーディングモードのうちのいずれかがイネーブルにされていることを指示する前記シンタックス要素を復号した後に、前記１つまたは複数のシンタックス要素を含む深度モデリングテーブルを復号し、ここで、前記深度モデリングテーブルは、前記ＨＥＶＣイントラコーディングモードのためのシンタックス要素から分離している前記深度イントラコーディングモードのためのシンタックス要素を含む、
前記深度モデリングテーブル内の前記１つまたは複数のシンタックス要素に基づき前記深度イントラコーディングモードのうちの前記１つを選択するように構成される請求項１１に記載のビデオ復号デバイス。
【請求項２１】
複数の深度コーディングモードのうちのいずれかを使用してコード化されたビデオデータのための深度データの残差情報を指示するシンタックス要素の統合されたセットを復号するための手段と、ここで、前記シンタックス要素の統合されたセットは、前記複数の深度コーディングモードのすべてに対して使用されるシンタックス要素の同じセットを備え、前記深度コーディングモードの各々は、対応するテクスチャデータに対する深度データを含む１つまたは複数の深度マップのコーディングのために使用されることができ、前記複数の深度コーディングモードは、深度モデリングモード（ＤＭＭ）、簡略深度コーディング（ＳＤＣ）モード、またはチェーンコーディングモード（ＣＣＭ）のうちの少なくとも２つを含む複数の深度イントラコーディングモードを備える、
前記ビデオデータのための前記複数の深度コーディングモードのうちの１つを指示する１つまたは複数のシンタックス要素を復号するための手段と、
前記深度データの前記残差情報と近傍参照サンプルとに基づき前記指示された深度コーディングモードを使用して前記ビデオデータのための前記深度データを復号するための手段と、
を備えるビデオ復号デバイス。
【請求項２２】
ビデオデータを復号するために、デバイスの１つまたは複数のプロセッサに、
複数の深度コーディングモードのうちのいずれかを使用してコーディングされた前記ビデオデータのための深度データの残差情報を指示するシンタックス要素の統合されたセットを復号することと、ここで、前記シンタックス要素の統合されたセットは、前記複数の深度コーディングモードのすべてに対して使用されるシンタックス要素の同じセットを備え、前記深度コーディングモードの各々は、対応するテクスチャデータに対する深度データを含む１つまたは複数の深度マップのコーディングのために使用されることができ、前記複数の深度コーディングモードは、深度モデリングモード（ＤＭＭ）、簡略深度コーディング（ＳＤＣ）モード、またはチェーンコーディングモード（ＣＣＭ）のうちの少なくとも２つを含む複数の深度イントラコーディングモードを備える、
前記ビデオデータのための前記複数の深度コーディングモードのうちの１つを指示する１つまたは複数のシンタックス要素を復号することと、
前記深度データの前記残差情報と近傍参照サンプルとに基づき前記指示された深度コーディングモードを使用して前記ビデオデータのための前記深度データを復号することと、
を行わせる命令を備える非一時的コンピュータ可読媒体。
【請求項２３】
ビデオデータを符号化する方法であって、
複数の深度コーディングモードのうちの選択されたモードを使用して前記ビデオデータのための深度データを符号化することと、ここで、前記深度データを符号化することは、前記ビデオデータの元の深度値と近傍参照サンプルとに基づき前記深度データの残差情報を生成することを備える、
前記ビデオデータのための前記選択された深度コーディングモードを指示する１つまたは複数のシンタックス要素を符号化することと、
前記複数の深度コーディングモードのうちのいずれかを使用して符号化された前記深度データの前記残差情報を指示するシンタックス要素の統合されたセットを符号化することと、ここで、前記シンタックス要素の統合されたセットは、前記複数の深度コーディングモードのすべてに対して使用されるシンタックス要素の同じセットを備え、前記深度コーディングモードの各々は、対応するテクスチャデータに対する深度データを含む１つまたは複数の深度マップのコーディングのために使用されることができ、前記複数の深度コーディングモードは、深度モデリングモード（ＤＭＭ）、簡略深度コーディング（ＳＤＣ）モード、またはチェーンコーディングモード（ＣＣＭ）のうちの少なくとも２つを含む複数の深度イントラコーディングモードを備える、
を備える方法。
【請求項２４】
前記シンタックス要素の統合されたセットは、前記深度コーディングモードのうちのいずれかについて前記深度データの各コーディング区分に対する少なくとも１つの残差値を指示する請求項２３に記載の方法。
【請求項２５】
前記シンタックス要素の統合されたセットは、前記深度データの残差値が前記深度コーディングモードのうちのいずれかについて存在するかどうかを指示するシンタックス要素を含む請求項２３に記載の方法。
【請求項２６】
前記深度データに対するコーディング区分の数に基づき前記深度データの残差値が前記深度コーディングモードのうちのいずれかついて存在するかどうかを指示する前記シンタックス要素に対するコンテキストモデルを選択することをさらに備える請求項２５に記載の方法。
【請求項２７】
前記シンタックス要素の統合されたセットは、前記深度コーディングモードのうちのいずれかについて前記深度データの残差値の絶対値と符号とを指示するシンタックス要素を含む請求項２３に記載の方法。
【請求項２８】
単一の２値化方法を使用して前記深度コーディングモードのうちのいずれかについての前記深度データの前記残差値の前記絶対値と前記符号とを指示する前記シンタックス要素を２値化することをさらに備える請求項２７に記載の方法。
【請求項２９】
単一のコンテキストモデル選択方法を使用して前記深度コーディングモードのうちのいずれかに適用されるコンテキストモデルの同じセットから前記深度コーディングモードのうちのいずれかに対する前記シンタックス要素の統合されたセットに対するコンテキストモデルを選択することをさらに備える請求項２３に記載の方法。
【請求項３０】
前記深度データを符号化することは、前記ビデオデータの前記元の深度値と前記近傍参照サンプルとに基づき、前記近傍参照サンプルをフィルタリングすることなく、前記指示された深度コーディングモードに従って前記深度データの残差値を生成することを備える請求項２３に記載の方法。
【請求項３１】
前記指示されている深度コーディングモードは、前記複数の深度イントラコーディングモードの前記深度イントラコーディングモードのうちの１つであり、前記近傍参照サンプルの前記フィルタリングは、前記ＤＭＭ、前記ＣＣＭ、前記ＳＤＣモードのサブモードＳＤＣＭ＿ＤＭＭ＿１、または前記ＳＤＣモードのサブモードＳＤＣＭ＿ＤＣのうちの少なくとも１つに対してディセーブルにされる請求項３０に記載の方法。
【請求項３２】
前記複数の深度コーディングモードは、高効率ビデオコーディング（ＨＥＶＣ）イントラコーディングモードと異なる複数の深度イントラコーディングモードをさらに備え、前記選択された深度コーディングモードは、前記ＨＥＶＣイントラコーディングモードと異なる前記複数の深度イントラコーディングモードのうちの１つであり、前記選択された深度イントラモードを指示する前記１つまたは複数のシンタックス要素を符号化することは、
前記深度イントラコーディングモードが前記ビデオデータに対してイネーブルにされていることを指示するシンタックス要素を符号化することと、
前記深度イントラコーディングモードのうちの前記選択された１つを指示する前記１つまたは複数のシンタックス要素を含む深度モデリングテーブルを符号化することと、ここで、前記深度モデリングテーブルは、前記ＨＥＶＣイントラコーディングモードのためのシンタックス要素から分離している前記深度イントラコーディングモードのためのシンタックス要素を含む、
を備える、請求項２３に記載の方法。
【請求項３３】
ビデオデータを記憶するように構成されたメモリと、
１つまたは複数のプロセッサと、
を備え、前記１つまたは複数のプロセッサは、
前記ビデオデータの元の深度値と近傍参照サンプルとに基づき深度データの残差情報を生成するために、複数の深度コーディングモードのうちの選択された１つのモードを使用して前記ビデオデータのための前記深度データを符号化し、
前記ビデオデータのための前記選択された深度コーディングモードを指示する１つまたは複数のシンタックス要素を符号化し、
前記複数の深度コーディングモードのうちのいずれかを使用して符号化された前記深度データの前記残差情報を指示するシンタックス要素の統合されたセットを符号化する、ここで、前記シンタックス要素の統合されたセットは、前記複数の深度コーディングモードのすべてに対して使用されるシンタックス要素の同じセットを備え、前記深度コーディングモードの各々は、対応するテクスチャデータに対する深度データを含む１つまたは複数の深度マップのコーディングのために使用されることができ、前記複数の深度コーディングモードは、深度モデリングモード（ＤＭＭ）、簡略深度コーディング（ＳＤＣ）モード、またはチェーンコーディングモード（ＣＣＭ）のうちの少なくとも２つを含む複数の深度イントラコーディングモードを備える、
ように構成された、ビデオ符号化デバイス。
【請求項３４】
前記シンタックス要素の統合されたセットは、前記深度コーディングモードのうちのいずれかについて前記深度データの各コーディング区分に対する少なくとも１つの残差値を指示する請求項３３に記載のビデオ符号化デバイス。
【請求項３５】
前記シンタックス要素の統合されたセットは、前記深度データの残差値が前記深度コーディングモードのうちのいずれかについて存在するかどうかを指示するシンタックス要素を含む請求項３３に記載のビデオ符号化デバイス。
【請求項３６】
前記１つまたは複数のプロセッサは、前記深度データに対するコーディング区分の数に基づき前記深度データの残差値が前記深度コーディングモードのうちのいずれかについて存在するかどうかを指示する前記シンタックス要素に対するコンテキストモデルを選択するように構成される請求項３５に記載のビデオ符号化デバイス。
【請求項３７】
前記シンタックス要素の統合されたセットは、前記深度コーディングモードのうちのいずれかについて前記深度データの残差値の絶対値と符号とを指示するシンタックス要素を含む請求項３３に記載のビデオ符号化デバイス。
【請求項３８】
前記１つまたは複数のプロセッサは、単一の２値化方法を使用して前記深度コーディングモードのうちのいずれかについて前記深度データの前記残差値の前記絶対値と前記符号とを指示する前記シンタックス要素を２値化するように構成される請求項３７に記載のビデオ符号化デバイス。
【請求項３９】
前記１つまたは複数のプロセッサは、単一のコンテキストモデル選択方法を使用して前記深度コーディングモードのうちのいずれかに適用されるコンテキストモデルの同じセットから前記深度コーディングモードのうちのいずれかに対する前記シンタックス要素の統合されたセットに対するコンテキストモデルを選択するように構成される請求項３３に記載のビデオ符号化デバイス。
【請求項４０】
前記１つまたは複数のプロセッサは、前記ビデオデータの前記元の深度値と前記近傍参照サンプルとに基づき、前記近傍参照サンプルをフィルタリングすることなく、前記指示された深度コーディングモードに従って前記深度データの残差値を生成するように構成される請求項３３に記載のビデオ符号化デバイス。
【請求項４１】
前記指示されている深度コーディングモードは、前記複数の深度イントラコーディングモードの前記深度イントラコーディングモードのうちの１つであり、前記近傍参照サンプルの前記フィルタリングは、前記ＤＭＭ、前記ＣＣＭ、前記ＳＤＣモードのサブモードＳＤＣＭ＿ＤＭＭ＿１、または前記ＳＤＣモードのサブモードＳＤＣＭ＿ＤＣのうちの少なくとも１つに対してディセーブルにされる請求項４０に記載のビデオ符号化デバイス。
【請求項４２】
前記複数の深度コーディングモードは、高効率ビデオコーディング（ＨＥＶＣ）イントラコーディングモードと異なる複数の深度イントラコーディングモードをさらに備え、前記選択された深度コーディングモードは、前記ＨＥＶＣイントラコーディングモードと異なる前記複数の深度イントラコーディングモードのうちの１つであり、前記１つまたは複数のプロセッサは、
前記深度イントラコーディングモードが前記ビデオデータに対してイネーブルにされていることを指示するシンタックス要素を符号化し、
前記深度イントラコーディングモードのうちの前記選択された１つを指示する前記１つまたは複数のシンタックス要素を含む深度モデリングテーブルを符号化する、ここで、前記深度モデリングテーブルは、前記ＨＥＶＣイントラコーディングモードのためのシンタックス要素から分離している前記深度イントラコーディングモードのためのシンタックス要素を含む、
ように構成された、請求項３３に記載のビデオ符号化デバイス。
【請求項４３】
前記ビデオデータの少なくとも一部を表示するように構成された表示デバイスをさらに備える、請求項１１に記載のビデオ復号デバイス。
【請求項４４】
１つまたは複数の集積回路、
１つまたは複数のマイクロプロセッサ、
１つまたは複数のデジタルシグナルプロセッサ（ＤＳＰ）、
１つまたは複数のフィールドプログラマブルゲートアレイ（ＦＰＧＡ）、
デスクトップコンピュータ、
ラップトップコンピュータ、
タブレットコンピュータ、
電話、
テレビジョン、
カメラ、
表示デバイス、
デジタルメディアプレーヤー、
家庭用ゲーム機、
ビデオゲームデバイス、
ビデオストリーミングデバイス、または、
ワイヤレス通信デバイス、
のうちの少なくとも１つをさらに備える、請求項１１に記載のビデオ復号デバイス。
【請求項４５】
前記ビデオデータの少なくとも一部を表示するための手段をさらに備える、請求項２１に記載のビデオ復号デバイス。
【請求項４６】
１つまたは複数の集積回路、
１つまたは複数のマイクロプロセッサ、
１つまたは複数のデジタルシグナルプロセッサ（ＤＳＰ）、
１つまたは複数のフィールドプログラマブルゲートアレイ（ＦＰＧＡ）、
デスクトップコンピュータ、
ラップトップコンピュータ、
タブレットコンピュータ、
電話、
テレビジョン、
カメラ、
表示デバイス、
デジタルメディアプレーヤー、
家庭用ゲーム機、
ビデオゲームデバイス、
ビデオストリーミングデバイス、または、
ワイヤレス通信デバイス、
のうちの少なくとも１つをさらに備える、請求項３３に記載のビデオ符号化デバイス。
【請求項４７】
前記ビデオデータの少なくとも一部をキャプチャするように構成されたカメラをさらに備える、請求項３３に記載のビデオ符号化デバイス。